(57)【要約】      （修正有）【課題】無線通信システムのリモートユニットにおいて、消費電力低減のため、タイミング信号を発生する方法およびシステムを提供する。【解決手段】高い精度のタイミング信号が必要とされる間、リモートユニット内のプロセッサ３４にタイミング基準信号を与えるよう、高精度のクロックを使用する。アクティビティの低い期間では、高精度のクロックをオフにし、低精度のクロックを使用してプロセッサに対する基準タイミング信号を発生する。高精度のクロックパルスに基づき発生されるシステムタイミング信号の間で発生される、低精度のクロックパルスの数を測定することにより、低精度のクロックの精度を定期的にチェックする。システムタイミング信号を発生するのに低精度のクロックに依存している時は、プロセサが再び高精度クロックをパワーアップする時間であることを認識できる程度に十分な精度とする。【選択図】図３
2008289145.tif 000002
【特許請求の範囲】
【請求項１】
交互にアイドルモードからスリープモードをウェークアップしたりスリープモードに入ったりするように作動できるリモートユニットにおいて、該リモートユニットが、
前記リモートユニットを制御するための処理ユニットと、該処理ユニットへ入力されるシステムタイミング信号を発生するためのクロック信号発生システムとを備え、
該クロック信号発生システムが、
第１クロックパルスを発生するための第１クロックパルス発生ユニットと、
前記第１クロックパルスをカウントし、前記第１クロックパルスのカウントされた数が第１の所定のスレッショルド値を越えた時に、第１システムタイミング信号を出力するための第１カウンタと、
第２クロックパルスを発生するための第２クロックパルス発生ユニットと、
前記第１カウンタの第１システムタイミング信号の信号間隔をカウントした前記第２クロックパルスの数を保持し、前記第２クロックパルスをカウントして、前記第２クロックパルスのカウント数が前記保持された第２クロックパルスの数を越えた時に、第２システムタイミング信号を出力するための第２カウンタと、
前記第１および第２カウンタからの前記第１及び第２システムタイミング信号を受け、前記処理ユニットがウェークアップする際に、前記第１カウンタから前記処理ユニットへ第１システムタイミング信号を出力し、前記処理ユニットがスリープモードである時に前記第２カウンタから第２システムタイミング信号を出力するための機構とを含むリモートユニット。
【請求項２】
割り当てられたページングタイムスロットの間で、前記リモートユニットがページングメッセージを聴取するようにウェークアップする、請求項１記載のリモートユニット。
【請求項３】
前記第１クロックパルス発生ユニットがエアインターフェースを通し受信される信号からタイミング情報を受信する、請求項１記載のリモートユニット。
【請求項４】
前記第２クロックパルス発生ユニットが局部発振器からのタイミング情報を受信する、請求項３記載のリモートユニット。
【請求項５】
前記機構が前記処理ユニットによって駆動される選択入力端を有するマルチプレクサである、請求項１記載のリモートユニット。
【請求項６】
前記スリープモードの間で前記第１クロックパルス発生ユニットがパワーダウンされる、請求項１記載のリモートユニット。
【請求項７】
現在の時間を決定するよう、前記第２クロックパルスを受信するリアルタイムクロックと、
現在の時間を表示するためのディスプレイとを更に含む、請求項１記載のリモートユニット。
【請求項８】
前記第２クロックパルスに関連する不正確さを補償するよう、前記リアルタイムクロックによって決定される前記現在の時間を調節するための手段を更に含む、請求項７記載のリモートユニット。
【請求項９】
第１クロック信号を発生するための第１クロックパルス発生ユニットと、
前記第１クロックパルスをカウントし、前記第１クロックパルスのカウントされた数が第１の所定のスレッショルド値を越えた時に、第１システムタイミング信号を出力するための第１カウンタと、
第２クロックパルスを発生するための第２クロックパルス発生ユニットと、
前記第２クロックパルスを受信すると共に、測定モードまたは自走モードのいずれかで作動できる第２カウンタとを備え、
前記測定モードにおいて、前記第２カウンタが前記第１カウンタによって出力される前記第１システムタイミング信号の間の前記第２クロックパルスの数をカウントし、
前記自走モードにおいて、前記第２カウンタが前記第２クロックパルスをカウントし、前記第１カウンタの第１システムタイミング信号の信号間隔をカウントした前記第２クロックパルスの数を保持して、前記第２クロックパルスのカウントされた数が前記保持された第２クロックパルスの数を越えた時に、第２システムタイミング信号を出力し、
更に、前記第１および第２カウンタからの前記第１及び第２システムタイミング信号を受信し、前記測定モードの間で前記第１カウンタから受信される第１システムタイミングパルスを出力し、前記自走モードの間では前記第２カウンタから受信される第２システムタイミングパルスを出力するための手段を更に含む、システムタイミング信号を発生するためのクロック発生システム。
【請求項１０】
前記第１クロックパルス発生ユニットが外部タイミング情報を受信する、請求項９記載のクロック発生システム。
【請求項１１】
前記第２クロックパルス発生ユニットが局部発振器からのタイミング情報を受信する、請求項１０記載のクロック発生システム。
【請求項１２】
受信するための前記手段が前記作動モードの表示を受信するための選択入力端を有するマルチプレクサである、請求項９記載のクロック発生システム。
【請求項１３】
前記自走モードの間に前記第１クロックパルス発生ユニットがパワーダウンされる、請求項９記載のクロック発生システム。
【請求項１４】
現在の時間を決定するよう、前記第２クロックパルスを受信するリアルタイムクロックと、
現在の時間を表示するためのディスプレイとを更に含む、請求項９記載のクロック発生システム。
【請求項１５】
前記第２クロックパルスに関連する不正確さを補償するよう、前記リアルタイムクロックによって決定される前記現在の時間を調節するための手段を更に含む、請求項１４記載のクロック発生システム。
【請求項１６】
無線通信システムのリモートユニット内の電力を節約するための方法において、
第１ソースから第１タイミングパルスを発生する工程と、
前記リモートユニットが前記無線通信システムとの通信を行うためアクティブな時に、前記第１タイミングパルスを使用して、前記リモートユニット内のプロセッサを作動させるクロック信号を生成すると共に前記プロセッサに対して供給する第１ストローブ信号を生成する工程と、
前記リモートユニットがアイドル状態の時に、前記無線通信システムとの通信を必要としないスリープモード期間中、前記第１ソースをパワーダウンする工程と、
前記第１ソースがパワーダウンされた時に、前記第１ソースよりも精度の低い第２ソースから第２タイミングパルスを発生する工程と、
前記リモートユニットが電力を節約するため前記無線通信システムとの通信を必要としないスリープモードになっている時に、前記第２タイミングパルスを使用して、前記リモートユニット内の前記プロセッサを作動させるクロック信号を生成すると共に前記プロセッサに対して供給する第２ストローブ信号を生成する工程と、
前記リモートユニットが前記無線通信システムとの通信を行うためアクティブな時に、前記第１ストローブ信号の信号間隔をカウントした前記２タイミングパルスの数に基づいて、前記第２ストローブ信号を較正する工程と、
を備えることを特徴とする電力を節約するための方法。
【請求項１７】
前記第１ソースのほうが、前記第２ソースよりも電力を多く消費する、請求項１６記載の方法。
【請求項１８】
前記リモートユニットに割り当てられたページングタイムスロットの間に、前記リモートユニットがアクティブとなっていることを特徴とする請求項１６または１７に記載の方法。
【発明の詳細な説明】
【技術分野】
【０００１】
本発明は、一般的には無線通信システムに関し、より詳細には、無線通信システムで使用されるリモートユニットにおけるタイミング信号の発生に関する。
【背景技術】
【０００２】
商業的無線通信の成長、特にセルラー無線電話システムの爆発的成長のために、システムデザイナーが消費者の許容するスレッショルド値よりも通信の質を低下することなく、システムの容量を増すための方法を研究しなければならなくなった。容量を増す１つの方法としては、１つの無線キャリア周波数において、数人のユーザーにそれぞれのタイムスロットを割り当てるデジタル通信のマルチアクセス技術、例えばＴＤＭＡを使用する方法がある。
【０００３】
ＴＤＭＡセルラー無線電話システムでは、各無線チャンネルは一連のタイムスロットに分割されており、タイムスロットの各々はデータソースからの情報バースト、例えば音声会話のデジタル式に符号化された部分を含む。タイムスロットは所定の時間を有する連続するＴＤＭＡフレームにグループ分けされる。各ＴＤＭＡフレームにおけるタイムスロットの数は、無線チャンネルを同時に共用できる異なるユーザーの数と関連しており、ＴＤＭＡフレーム内の各スロットが異なるユーザーに割り当てられた場合、ＴＤＭＡフレームの時間長さは同じユーザーに割り当てられる連続するタイムスロットの間の最小時間となる。
【０００４】
ＴＤＭＡセルラーシステムはバッファーバーストモード、すなわち断続−送信モードで運用され、各移動局は指定されたタイムスロットの間でしか送信（および受信）を行うことができないことが理解できよう。例えばフルレートでは、アクティブに接続された移動局はスロット１で送信を行い、スロット２で受信を行い、スロット３でアイドル状態となり、スロット４で送信を行い、スロット５で受信を行い、スロット６でアイドル状態となり、次に連続するＴＤＭＡフレームの間でこのサイクルを繰り返すことができる。従って、バッテリー給電できる移動局は送受信しないタイムスロット中に電力を節約するためにオフ状態またはスリープ状態に切り換えることができる。
【０００５】
セルラー無線通信システムは音声チャンネルまたはトラヒックチャンネルの他に、基地局と移動局との間の呼設定メッセージを搬送するためのページング／アクセスチャンネル（制御チャンネルとしても知られる）も設けている。一部のシステムでは所定のページングスロットにアイドル状態の移動局が割り当てられている。アイドル状態の移動局はオンに切り換えられた後は、それに割り当てられたページングタイムスロットだけを定期的にモニタすればよい。例えば通常の電話（地上回線）の加入者が移動局の加入者を呼び出した場合、この発呼は公衆交換電話ネットワーク（ＰＳＴＮ）から移動交換センター（ＭＳＣ）へ送られ、移動交換センターはダイヤルされた番号を分析する。ダイヤルされた番号が有効であれば、ＭＳＣは被呼移動局の移動識別番号（ＭＩＮ）を含むページングメッセージをそれぞれの制御チャンネルを通して送信することにより、被呼移動局をページングすることを、多数の無線基地局の一部または全てにリクエストする。基地局はページ用の加入者の機器に割り当てられたタイムスロット中に移動加入者向けのページングメッセージを送信する。割り当てられたページングタイムスロットでページングメッセージを受信するアイドル状態の各移動局は、受信したＭＩＮと自局に記憶されているＭＩＮとを比較する。記憶されているＭＩＮと一致した移動局は特定の制御チャンネルを通し、基地局へページ応答信号を送信し、基地局はページ応答信号をＭＳＣに送る。従って、アイドル状態の移動局はバッテリーの電力を節約するように、割り当てられたページングタイムスロット以外のタイムスロットでスリープできる。
【０００６】
電池の電力を節約するように、移動局が必要とするモニタのアクティビティを最小にする他に、これらユニットのエネルギー効率を更に高めるよう、内部調節を行うことができる。例えば図１は、移動局に２つのクロック信号発生器を設けた従来のシステムコンフィギュレーションを示す。一方のクロック信号発生器１０はグローバルシステムタイミングのためのタイムベースとして働く外部タイミング基準信号に正確に同調されており、他方のクロック信号発生器１２は自己の局部発振クリスタル（図示せず）を有し、自走式となっている。クロック信号発生器１２のほうがクロック信号発生器１０よりも精度が低いが、小電力動作できるように最適にすることができる。
【０００７】
カウンタ１４はクロック信号発生器１０からのクロックパルスを受信し、良好に定められたタイミングを有するシステムタイミング信号（時々システムチックとも称される）を出力する。このシステムタイミング信号はプロセッサ１６をストローブするのに使用される。プロセッサ１６は他の処理のうちでもとりわけ、移動局の種々の送受信機能を制御するようになっている。当業者であれば知っているように、このプロセッサ１６は正確に制御されるタイミングを有するストローブ信号を必要とするので、これまでは高精度のクロック信号発生器１０によってクロック制御されていた。特にＴＤＭＡに基づく無線通信システムでは、カウンタ１４から受信されるシステムタイミングパルスは、ページングメッセージを復号化するために、アイドル状態の移動局に割り当てられたタイムスロットを識別するようプロセッサ１６によって使用できる。
【０００８】
これと対照すると、タイミング条件があまり重要でない回路、例えばリアルタイムクロック（ＲＴＣ）１８を制御するのに、これまでは低精度のクロック信号発生器１２が使用されてきた。このＲＴＣ１８は移動局のディスプレイ１９に出力するためのローカル時間を供給できる。低精度のクロック信号発生器１２は小電流で動作するように設計されているので、小容量の電源、例えばバックアップバッテリー（図示せず）から給電できる。
【０００９】
高精度のクロック信号発生器１０は基本システムの基準時間を発生し、一般にシステム内のほとんどの回路に分配されるクロックパルスを発生する。その重要度を仮定した場合、この高精度のクロック信号発生器１０は精度を制御するための、例えば温度および製造のバラツキを補償するための回路も含む。このように複雑さが増し、広範に信号を分配する接続性の負荷により、高精度のクロック信号発生器１０は低精度のクロック信号発生器１２よりも多い電力を消費する。
【００１０】
アクティブモードの間（例えばトラヒックチャンネルにより移動局がシステムに接続されている時）では、ほとんどの回路は上記システム内でアクティブ状態となっている。しかしながらＴＤＭＡに基づく電話システムでは、スタンバイモードまたはアイドルモードの間（例えば移動局が定期的に制御チャンネルまたはアクセスチャンネルを聴取する際）の活動は制限されている。アイドルモードの間では、活動のほとんどは指定されたページングタイムスロット、例えば全体の時間の一部の間に特定の移動局に対して、上記のように送信されるページングメッセージを復号化することに関連している。割り当てられたページングタイムスロット以外のタイムスロットの間では、移動局はスリープモードに入ることができ、このモードの間では移動局は制御チャンネルをモニタしない。これによって移動局は消費電力を低減でき、バッテリーの寿命を長くすることが可能となっている。
【００１１】
高精度のクロックも電力を比較的多く消費し、低精度のクロックは電力を比較的わずかしか消費しないので、バッテリーを充電してから次に充電するまでの時間を長くするために、できるだけ多数の低精度のクロックを使用することが望ましい。不幸なことに、従来のリモートユニットの設計では、リモートユニット内の機能回路のほとんどに対し、クロックの精度を犠牲にできないと認識していた。従って、図１の従来のリモートユニットではクロック信号発生ユニットでの電力消費量が大きいという問題に悩んでいた。追加機能のためには低精度のクロックを使用することが望ましいが、このような原理に関連する問題として、例えば従来の技術に従ってプロセッサ１６をストローブするには、低精度のクロックは過度に不正確であるという問題があった。
【発明の開示】
【００１２】
概要
本発明の実施例によれば、移動局に割り当てられたページングタイムスロット以外のスリープモードの一部の間で、高精度クロック信号発生器をオフにし、その代わりにこの時間中、低精度クロック信号発生器を使ってタイミング信号を発生することにより電力消費量を更に低減することが可能となる。しかしながら、ページングメッセージの復号化条件に起因し、移動局が割り当てられたページングタイムスロットの間に受信されるページングメッセージを復号化するようウェークアップしている時には、高精度のクロック信号発生器を使用しなければならない。従って、スリープモード中に低精度クロック信号発生器によってプロセッサヘ与えられるタイミング信号は、移動局が正しい時間にウェークアップし、割り当てられたページングタイムスロットの間に受信されるメッセージのすべてを復号化できるよう、十分に正確であることが重要である。本発明の実施例によれば、低精度のクロック信号発生器の精度は高精度クロック信号発生器の精度に対して周期的に測定される。
【００１３】
例えば本発明に係わるクロック信号発生システムの測定モードの間では、第１カウンタは所定の数のパルスを受信するまで、高精度クロック信号発生器からの出力パルスをカウントする。これと同時に、第１カウンタは内部タイミングプロセスのためにプロセッサが使用するシステムタイミング信号を出力する。第１カウンタが高精度クロック信号発生器からのパルスをカウントする間、第２カウンタは低精度クロック信号発生器から出力されるパルスをカウントし、第２カウンタは第１カウンタから出力されるシステムタイミング信号も受信する。第１カウンタからのシステムタイミング信号の間にカウントされる低精度クロックパルスの数は、低精度クロック信号発生器の相対的精度を表示する。更に、１つのシステムタイミング信号に対する低精度クロックパルスのカウントされた数を記憶し、高精度クロックをオフする際に、システムタイミング信号を発生するのにどれだけ多くの低精度クロックパルスを使用しなければならないかを最新表示するよう平均化することができる。
【００１４】
次に、自走モードで作動している時は、第２カウンタは測定モード中に測定される値に基づくスレッショルド値に達するまで、低精度のクロック信号発生器から受信されるパルスをカウントする。次に第２カウンタは、低精度クロック信号発生器から受信されるクロックパルスの数が所定のスレッショルド値に達すると、システムタイミング信号を出力する。このシステムタイミング信号はリモートユニットが受信したページングメッセージを復号化する必要のないスリープモードの一部の間で、プロセッサをストローブするのに使用される。上記のように低精度クロック信号発生器の精度を定期的に測定することにより、スリープモード中にプロセッサをストローブするのに使用されるシステムタイミングパルスは、プロセッサが適当な時間に受信および復号回路をウェークアップさせ、割り当てられたページングタイムスロット中にページングメッセージの正確な復号化を可能にする程度に十分正確である。
【００１５】
本発明の別の実施例によれば、リアルタイムクロック機能手段にクロックパルスを与えるのに、低精度のクロック信号発生器も使用できる。次に、リアルタイムクロック機能はリモート局のディスプレイに出力するための現在の時間も発生する。これにより、リモート局のユーザーは発呼のための時間基準を有することができる。上記のように、スリープモードの一部の間で低精度クロック信号発生器によりシステムのタイミングを処理できるよう、上記のように低精度クロックの精度を定期的にチェックするので、この情報を使用してリアルタイムクロックの不正確さを補償することもできる。例えば、上記測定モード中に低精度クロック信号発生器に関連した所定量の不正確さが観察された後に、リモートユニットのプロセッサはリアルタイムクロックに所定の現在の時間から秒を加減するよう命令し、よってプロセッサが低精度クロック信号発生器から受信するクロックパルスの不正確さを補償することができる。
【００１６】
図面を参照し、次の詳細な説明を読めば、本発明の上記およびそれ以外の目的、特徴および利点がより容易に理解できよう。
【発明を実施するための最良の形態】
【００１７】
詳細な説明
本発明を完全に理解できるよう、次の説明では、限定のためではなく、説明のために特定の細部、例えば特定の回路、回路部品、技術などについて記載する。しかしながら当業者には本発明はこれら特定の詳細とは異なった他の実施例で実施できることは明らかとなろう。他の場合では、本発明の説明を不必要な細部によって不明瞭としないように、周知の方法、デバイスおよび回路の詳細な説明については省略した。
【００１８】
本発明の実施例によれば、スリープモード中にリモートユニットのプロセッサをストローブするのに低精度（および小電力消費量の）クロックパルス発生器を使用することにより、小電力消費量を達成している。上記のように「スリープモード」なる用語は、遠隔局が所定の回路をパワーダウンできる間の低アクティビティの期間を意味する。リモートユニットはページングメッセージを受信しないと予想されるとき、例えば割り当てられたページングタイムスロット以外のタイムスロットの間でスリープモードに入ることができる。アクティブな移動局（例えばトラヒックチャンネルを介してシステムに接続された移動局）は、送信、受信または測定すべき時間でないタイムスロット中にスリープモードに入ることができる。下記の例は、以前のタイプのスリープモードに本発明を応用した例を示すが、当業者であれば、これから説明するのと同じように他のスリープモードでの高精度のクロックをオフにできることが理解できよう。また、当業者は一般にスリープモード精通しているので、従来の無線通信システムのこのような特徴についてはこれ以上説明しないことにする。
【００１９】
図２Ａは、本発明に係わる電力消費量を低減するための方法の一例の一部を示す。ステップ２０ではリモートユニットは、このリモートユニットがシステムにアクティブに接続されていない時には本質的でない回路をパワーダウンすることによりスリープモードに入る。本発明の実施例によれば、この方法はステップ２１で高精度のクロック（電力消費量の大きいクロックも含む）をパワーダウンすることも含む。次に、ステップ２２に示されるように、リモートユニットのプロセッサをストローブするのに低精度のクロックが使用される。このステップは低精度のクロックのタイミングが低精度のクロックを使って発生されるストローブの十分な精度を保証するように、（下記に説明するように）測定されていることを前提とする。この作動モードは本明細書では自走モードと称す。この理由は低精度のクロックはこの時点で高精度のクロックと独立して作動するからである。このプロセスは、例えばステップ２３によって示されるように、リモートユニットに割り当てられたページングタイムスロットが到達する際に、その特定のリモートユニットに向けることができるページングメッセージを復号化するための時間となるまで続く。
【００２０】
次に図２Ｂを参照すると、リモートユニットに割り当てられたページングタイムスロットが到達すると、システムはステップ２４に示されるように高精度のクロックをパワーアップする。次に、リモートユニットが受信したページングメッセージのいずれかが、そのリモートユニットに向けられたものであるかどうかを確認するように、受信したページングメッセージを復号化しなければならない時間の間、リモートユニットのプロセッサをストローブするのに、高精度のクロックによって発生されるクロックパルスが使用される（ステップ２５）。高精度のクロックがプロセッサをストローブするのに使用されている間、本発明に係わる技術もこの高精度のクロックを使ってステップ２６に示されるように低精度のクロックのタイミングを定期的にチェックする。従って、この作動モードを本明細書では、本発明に係わるクロック信号発生システムの「測定モード」と称す。後により詳細に説明するように、高精度のクロックに基づき発生されるシステムタイミング信号の間で発生される低精度のクロックパルスの数は、スリープモード中にリモートユニットのプロセッサをストローブするのに再び低精度のクロックが使用される際に、この低精度のクロックを使って比較的正確なシステムタイミング信号を発生できるように、記憶し、および／または平均化することができる。ステップ２７において、リモートユニットに割り当てられたページングタイムスロットが完了すると、プログラムフローは図２Ａに戻り、ここでスリープモードが終了したかどうか、ステップ２８で判断される。終了していれば、リモート局のユーザーはアクティブ接続を開始し、またはリモート局の電源を切り、プロセスを終了する。そうでない場合、リモート局に割り当てられたページングタイムスロット以外の時間中に、高精度のクロックを再びパワーダウンする別の繰り返しを実行する。当然ながら、リモートユニットが、このリモートユニットに割り当てられているページングタイムスロットの１つで、接続をサポートするために無線通信システムに接続すべき旨を表示するページングメッセージを受信しない場合、リモートユニットはスリープモードを出て、高精度のクロックはリモートユニットに対する基本時間基準ソースとして機能し続ける。
【００２１】
以上で、高精度（および大電力消費量の）クロックを定期的にパワーダウンすることにより、本発明の実施例がどのようにエネルギーを節約できるかについての概略を説明したので、次にこの機能を実現するための装置および技術のより詳細について説明する。本発明の実施例によれば、リモートユニット（例えば移動電話）は、例えば送受信回路の動作を含む、電話によって提供される種々の機能を制御するための中央処理ユニットを含む。これら制御機能を奏するために、中央処理ユニットは当業者が理解できるように、正確な基準タイミング入力信号を受信する必要がある。例えば、中央処理ユニットはプロセッサに関連する所定の作動周波数でクロックパルスを受信する必要がある。本発明に係わる中央処理ユニットによって使用できる別のタイミング基準として、システムタイミング信号（またはシステムチック）があり、このシステムタイミング信号の周波数は一般に中央処理ユニットによっても受信されるクロックパルスの周波数よりも低くなっている。
【００２２】
図３はリモートユニットに連動する中央処理ユニット（ＣＰＵ）３４をストローブするのに使用されるシステムタイミング信号を発生するのに、低精度のクロック信号発生器３０と高精度のクロック信号発生器３２とを交互に使用できる、本発明の実施例を示す。高精度のクロック信号発生器３２は、エアインターフェースを通し受信される外部タイミング情報を受信するが、他方の低精度クロック信号発生器は局部発振器３３からのタイミング情報を受信する。上記のように図３のクロック信号発生システムは、２つのモードで作動できる。測定モードでは高精度のクロック信号発生器３２はシステムタイミング信号を発生するのに使用されるクロック信号パルスを出力し、システムタイミング信号は次に中央処理ユニット３４をストローブするのに使用される。上記のように、例えば中央処理ユニット３４が受信したページングメッセージを復号化する間に高精度のタイミング情報を受信するように、リモートユニットに割り当てられているページングタイムスロットの間で測定モードが使用される。例えば周波数ｆ１における高精度のクロック信号発生器３２からのパルス出力は、カウンタ３６によってカウントされる。カウンタ３６がクロック３２からの所定数、例えば４００個のクロックパルスを受信すると、カウンタ３６はマルチプレクサ３８にシステムタイミング信号を出力する。測定モードの間では中央処理ユニット３４は信号ライン４０上にモード選択（ＭＳ）信号を出力し、この信号によりカウンタ３６によって発生されるシステムタイミング信号は、マルチプレクサ３８から中央処理ユニット３４のSTROBE入力端に選択的に出力できる。
【００２３】
カウンタ３６によって発生されるシステムタイミング信号は、これと同時にカウンタ４６へも入力される。カウンタ４２は低精度のクロック信号発生器３０からのクロックの受信装置である。測定モードではカウンタ４２はカウンタ３６によって発生される各システムタイミング信号の間でクロック信号発生器３０から受信される低精度のクロックパルスの数をカウントする。これによってカウンタ４２はリモート局の作動寿命の間の特定時間における各システムタイミングインターバルがどれだけ多くの低精度クロックパルスを含むかを判断できる。当業者に明らかとなるように低精度のクロック信号発生器３０の精度（従って各システムタイミングインターバル中の低精度クロックパルスの数）は、経年変化、温度作用などにより時間と共に変わる。
【００２４】
例えば高精度クロック信号発生器３２はカウンタ３６から出力される各システムタイミング信号に対し、４００個のクロック信号パルスを発生する。しかしながら、カウンタ３６から出力される２つのシステムタイミング信号の間ではカウンタ４２は低精度クロック信号発生器３０から３９０個のクロックパルスしか受信しないが、他方、その後に発生される別の２つのシステムタイミング信号の間では、カウンタ４２は低精度クロック信号発生器３０から４１０個のクロックパルスを受信する。この数は、時間と共に変わるのでカウンタ４２により周期的にその測定値を記録し、後述する次の自走モードの間で使用するためにカウンタ内に記憶しなければならない。所望する場合、システムタイミングインターバルを含む、低精度の信号発生器３０からのクロックパルス数の最良に可能な予想値を得るように、統計的平滑関数（例えば平均化関数）を使用できる。
【００２５】
自走モードの間ではシステムタイミング信号を発生するのにカウンタ４２が使用される。この自走モードは例えばリモートユニットがまだアイドルモードとなっている間に、割り当てられたページングタイムスロットが終了した後に、モード選択ライン４０上の値をプロセッサが変更することによって開始される。次に、測定モードからのカウンタ４２に記憶されていた情報を使用することによって決定された所定のスレッショルド値を使用し、カウンタ４２は低精度クロック信号発生器３０から受信されるクロックパルスの所定数をカウントし、次にシステムタイミング信号をマルチプレクサ３８に出力する。次にマルチプレクサ３８は信号ライン４０上の、中央処理ユニット（ＣＰＵ）３４によって駆動されるモード選択信号によって制御されるＣＰＵ３４のSTR0BE入力端へ、このシステムタイミング信号を送る。高精度クロック信号発生器３２はスリープモードのこの部分では不要であるので、これと同時にこの高精度クロック信号発生器３２をパワーダウンすることができる。この特定のリモートユニットに割り当てられているページングタイムスロットの間に受信されるページングメッセージを復号化する時間になると、中央処理ユニットは測定モードに戻るように切り換え、再度高精度クロック信号発生器３２をパワーアップする。マルチプレクサ４３は（電源オン時の）高精度のクロック信号発生器３０からのクロックパルスまたは（電源オン時以外の）低精度クロック信号発生器３２からのクロックパルスを、ＣＰＵ３４のＣＬＫ入力端へ与える。
【００２６】
本発明の別の実施例によれば、低精度クロック信号発生パルスに基づく場合でも十分な精度でシステムタイミング信号を発生するように保証するのに使用される上記誤り補償を使ってリアルタイムクロックのタイミングを補正することもできる。上記のように従来の低精度クロック信号発生器の利用では、リモートユニットのディスプレイを駆動するのに使用されるリアルタイムクロック機能に対する基準を与えていた。本発明の上記実施例によれば、低精度のクロック信号パルスの精度は周期的にチェックされるので、リアルタイムクロックの出力を補正し、リモートユニットによりディスプレイされる現在の時刻をより正確にするように、この情報を使用することもできる。例えば図３と同じ部品に対し、同じ参照番号を付けた図４を参照すると、カウンタ４２により測定モード中に決定されるスレッショルド値はＣＰＵ３４のＣＯ入力端へ与えられる。ＣＰＵ３４は低精度信号発生器３０に関連する累積タイミングエラーを決定し、リアルタイムクロック５０へ補正出力信号（ＥＲＲ）を与える。例えばＣＰＵ３４は２つのシステムチックの間にどれだけ多くの高精度クロックパルスが存在するかを知っているので、ＣＰＵはこの数とカウンタ４２が測定したスレッショルド値数とを比較することができる。従って、例えばＣＰＵ１４へのＣＯ入力端が９９９を読み出し、ＣＰＵがシステムチックの間に１０００個の高精度のクロックパルスが生じたことを知った場合、ＣＰＵは９９９のＲＴＣ秒ごとに更に１秒を加える。これによりＲＴＣ５０はディスプレイ５２に出力するために、より正確な時間を供給できる。
【００２７】
上記実施例は本発明を限定するためではなく、全ての点で説明のためのものである。従って、本発明は当業者が本明細書に含まれる説明から誘導できる、詳細な実施において多数の変形が可能である。例えばスリープモード中の高精度クロックのパワーダウンおよび高精度クロックを再びパワーアップするための割り当てられたページングタイムスロットの待機に関連して、上記実施例をこれまで説明したが、当業者であれば、高精度信号クロックのウェークアップをトリガーするのに、他のリモートユニットのアクティビティを使用できることが理解できよう。例えばかかるアクティビティはエアインターフェースのステータスの測定、基地局の識別、ＧＰＳまたは他の技術を使ったリモートユニットの位置の決定およびバッテリーのステータスのロギングの１つ以上を含むことができる。かかる変形例および変更例のいずれも、次の請求の範囲に記載されている本発明の範囲および要旨内に含まれるものと見なされる。
【図面の簡単な説明】
【００２８】
【図１】図１は、２つのクロックを使用した従来のクロック信号発生システムの一例を示す。
【図２Ａ】図２Ａは、本発明の実施例に係わるリモートユニット内で電力を保存するための方法の一例を示すフローチャートの第１部分である。
【図２Ｂ】図２Ｂは、図２Ａのフローチャートの第２部分である。
【図３】図３は、本発明の実施例に係わる、クロック信号発生システムを含む無線通信デバイスの一部を示す。
【図４】図４は、本発明の別の実施例に係わる、クロック信号発生システムを含む無線通信デバイスの一部を示す。
【図１】
2008289145.tif 000003
【図２Ａ】
2008289145.tif 000004
【図２Ｂ】
2008289145.tif 000005
【図３】
2008289145.tif 000006
【図４】
2008289145.tif 000007